(57)【要約】【課題】連結後に分解しやすく、且つ、連結した際に引っ張り力に対して強い木製ブロックを提供する。【解決手段】直方体形状の木製ブロック１であって、三対の対面のうち少なくとも二対の対面それぞれに連結穴３が設けられており、隣り合わせた木製ブロック１同士の互いの前記連結穴３に共通の連結部材Ｘを挿入することで木製ブロック１同士を連結することができるように構成されている木製ブロック１において、前記連結穴３が設けられている対面にはそれぞれ、一辺の中央部から対辺の中央部に至るライン溝４が、十文字状に交差するように二本形成され、十文字状に交差する前記ライン溝４の交点から対面側の前記ライン溝４の交点に至る貫通孔５が設けられている、木製ブロック１とした。【選択図】図３
2014077318.tif 000002
【特許請求の範囲】
【請求項１】
直方体形状の木製ブロックであって、三対の対面のうち少なくとも二対の対面それぞれに連結穴が設けられており、隣り合わせた木製ブロック同士の互いの前記連結穴に共通の連結部材を挿入することで木製ブロック同士を連結することができるように構成されている木製ブロックにおいて、
前記連結穴が設けられている対面にはそれぞれ、一辺の中央部から対辺の中央部に至るライン溝が、十文字状に交差するように二本形成され、
十文字状に交差する前記ライン溝の交点から対面側の前記ライン溝の交点に至る貫通孔が設けられている、
木製ブロック。
【請求項２】
直方体形状の木製ブロックであって、三対の対面すべてに連結穴が設けられており、隣り合わせた木製ブロック同士の互いの前記連結穴に共通の連結部材を挿入することで木製ブロック同士を連結することができるように構成されている木製ブロックにおいて、
前記連結穴が設けられている対面にはそれぞれ、一辺の中央部から対辺の中央部に至るライン溝が、十文字状に交差するように二本形成され、
十文字状に交差する前記ライン溝の交点から対面側の前記ライン溝の交点に至る貫通孔が設けられている、
木製ブロック。
【請求項３】
木製ブロックを連結して連結ブロック体とし、この連結ブロック体における一方側の所望の貫通孔開口部から連結補強用の紐状体を通し、この紐状体を反対側の貫通孔開口部から表出させ、この反対側の貫通孔開口部から表出した前記紐状体を、反対側の貫通孔開口部に連続するライン溝の内側に沿わせて反対側の所望の他の貫通孔開口部に通し、この反対側の所望の他の貫通孔開口部から通した前記紐状体を一方側の他の貫通孔開口部から表出させた後、前記紐状体に張力をかけながらの両端部を結合することで連結ブロック体をループ状に補強して、木製ブロックの連結を補強することができるように構成された、
請求項１又は２記載の木製ブロック。
【請求項４】
連結部材を用いて請求項１〜３何れか記載の木製ブロックを連結して連結ブロック体とした後、この連結ブロック体における一方側の所望の貫通孔開口部から連結補強用の紐状体を通し、この紐状体を反対側の貫通孔開口部から表出させ、この反対側の貫通孔開口部から表出した前記紐状体を、反対側の貫通孔開口部に連続するライン溝の内側に沿わせて反対側の所望の他の貫通孔開口部に通し、この反対側の所望の他の貫通孔開口部から通した前記紐状体を一方側の他の貫通孔開口部から表出させた後、前記紐状体に張力をかけながらの両端部を結合することで連結ブロック体をループ状に補強して、木製ブロックの連結を補強する方法。
【発明の詳細な説明】
【技術分野】
【０００１】
本発明は、間伐材等の木材を用いた木製ブロックに関する。また、木製ブロックの連結を補強(木製ブロック同士の連結を補強)する方法に関する。
【背景技術】
【０００２】
木製ブロックは、複数個を連結することで、壁やステージなどの様々な構造体を形成するものである。このような木製ブロックについては、種々のものが提唱されている。
【０００３】
例えば、特許文献１にあるように、木製ブロック同士を連結するためのダボ穴が設けられており、隣り合わせた木製ブロック同士の互いのダボ穴に共通のダボを挿入することで木製ブロック同士を連結することができるような木製ブロックが知られている。また、特許文献２にあるように、木製ブロックの材料として間伐材を用いることで、間伐材を有効活用することができることも知られている。
【先行技術文献】
【特許文献】
【０００４】
【特許文献１】特開２００５-７７４６号公報
【特許文献２】登録実用新案第３１１２８８５号公報
【発明の概要】
【発明が解決しようとする課題】
【０００５】
しかし、これら従来の木製ブロックは、連結した後に連結を解除して（分解して）木製ブロックとして再度使用する用途に必ずしも適したものではなかった。ダボとダボ穴によって連結される木製ブロックは、製造時の寸法バラツキやダボの吸湿などによってダボとダボ穴の係合関係が強くなってしまうことなどがあり、連結することができても分解しにくくなることがあった。
【０００６】
また、ダボとダボ穴によって連結される木製ブロックは、基本的に押し込みによって連結するため比較的連結作業が簡単というメリットがあるが、その一方で、連結部分が引っ張り力に弱いことがあるという課題があった。そのため、使用用途によっては、引っ張り力に対して抗力を持たせるため木製ブロック同士を接着することがあったが、このような手段を用いると、木製ブロックを分解して再度使用することが困難になっていた。
【０００７】
本発明は、上述の事柄に留意してなされたものであって、連結後に分解しやすい木製ブロックを提供するとともに、連結した際に引っ張り力に対して強い木製ブロック及び木製ブロックの連結を補強する方法を提供することを目的とする。
【課題を解決するための手段】
【０００８】
上記課題を解決するために、直方体形状の木製ブロックであって、三対の対面のうち少なくとも二対の対面それぞれに連結穴が設けられており、隣り合わせた木製ブロック同士の互いの前記連結穴に共通の連結部材を挿入することで木製ブロック同士を連結することができるように構成されている木製ブロックにおいて、前記連結穴が設けられている対面にはそれぞれ、一辺の中央部から対辺の中央部に至るライン溝が、十文字状に交差するように二本形成され、十文字状に交差する前記ライン溝の交点から対面側の前記ライン溝の交点に至る貫通孔が設けられている、木製ブロックを提案する。
【０００９】
また、直方体形状の木製ブロックであって、三対の対面すべてに連結穴が設けられており、隣り合わせた木製ブロック同士の互いの前記連結穴に共通の連結部材を挿入することで木製ブロック同士を連結することができるように構成されている木製ブロックにおいて、前記連結穴が設けられている対面にはそれぞれ、一辺の中央部から対辺の中央部に至るライン溝が、十文字状に交差するように二本形成され、十文字状に交差する前記ライン溝の交点から対面側の前記ライン溝の交点に至る貫通孔が設けられている、木製ブロックも提案する。この木製ブロックは、直方体のすべての面に十文字状のライン溝が形成され、貫通孔は３カ所に設けられていることになる。
【００１０】
これらの木製ブロックは、連結穴が設けられている面に、一辺の中央部から対辺の中央部に至るライン溝が形成されているため、連結した木製ブロックを分解する際に、木製ブロック同士の接触面の縁側に現れるライン溝の端部から棒状物を挿入して揺動などすることができ、連結した木製ブロックを分解しやすくなる。
また、ライン溝が、十文字状に交差するように二本形成されているため、ライン溝の端部が四ヶ所存在し、これら複数のライン溝の端部それぞれから棒状物を挿入することで、連結した木製ブロックをより分解しやすくなる。
さらに、ライン溝が、一辺の中央部から対辺の中央部に至るように形成されているため、棒状物を深く挿入することができ、連結した木製ブロックをより分解しやすくなる。
加えて、後述する様に貫通孔を使用することで、連結した際に引っ張り力に対して強い木製ブロックとなる。
【００１１】
このとき、木製ブロックを連結して連結ブロック体とし、この連結ブロック体における一方側の所望の貫通孔開口部から連結補強用の紐状体を通し、この紐状体を反対側の貫通孔開口部から表出させ、この反対側の貫通孔開口部から表出した前記紐状体を、反対側の貫通孔開口部に連続するライン溝の内側に沿わせて反対側の所望の他の貫通孔開口部に通し、この反対側の所望の他の貫通孔開口部から通した前記紐状体を一方側の他の貫通孔開口部から表出させた後、前記紐状体に張力をかけながらの両端部を結合することで連結ブロック体をループ状に補強して、木製ブロックの連結を補強することができるように構成された、木製ブロックとすることが好ましい。
【００１２】
この木製ブロックは、紐状体を用いることによって木製ブロック同士の連結を補強することができる。また、木製ブロックの表面に表れた紐状体をライン溝の内側に沿わせることで、このライン溝を設けてある面（ライン溝に紐状体が沿っている面）にも、木製ブロックなどを隙間なく連結することができる。
【００１３】
また木製ブロックの連結を補強する方法として、これらの木製ブロックを連結して連結ブロック体とした後、この連結ブロック体における一方側の所望の貫通孔開口部から連結補強用の紐状体を通し、この紐状体を反対側の貫通孔開口部から表出させ、この反対側の貫通孔開口部から表出した前記紐状体を、反対側の貫通孔開口部に連続するライン溝の内側に沿わせて反対側の所望の他の貫通孔開口部に通し、この反対側の所望の他の貫通孔開口部から通した前記紐状体を一方側の他の貫通孔開口部から表出させた後、前記紐状体に張力をかけながらの両端部を結合することで連結ブロック体をループ状に補強して、木製ブロックの連結を補強する方法を提案する。
【発明の効果】
【００１４】
本発明により、連結後に分解しやすい木製ブロックを提供するとともに、連結した際に引っ張り力に対して強い木製ブロック及び木製ブロックの連結を補強する方法を提供することができる。
【図面の簡単な説明】
【００１５】
【図１】木製ブロックの斜視図である。
【図２】図１のＡ-Ａ線に沿う垂直断面を矢印方向から見た状態を示す断面図である。
【図３】図１の木製ブロックを縦に二個連結させる様子を示す斜視図である。
【図４】図１の木製ブロックを縦に三個連結させて連結ブロック体とした状態を示す斜視図である。
【図５】図４の連結ブロック体を紐状体で補強する様子を、図４のＢ-Ｂ線に沿う垂直断面から見た（矢印方向）断面図である。
【図６】図１の木製ブロックを縦に三つ、横に二つ用いた連結ブロック体を紐状体で補強する様子を示す断面図である。
【図７】木製ブロックの第一別例を示す斜視図である。
【図８】木製ブロックの第二別例を示す斜視図である。
【発明を実施するための形態】
【００１６】
以下、図を用いて木製ブロック、および木製ブロックの連結を補強する方法を例示説明する。木製ブロックは直方体形状であり、連結穴、ライン溝、及び貫通孔を備えている。
以降、これら各構成要素について説明するが、本発明およびその構成要素は、以下の説明に限定されるものではない。
なお、図１では木製ブロック（立方体形状）のすべての面が表示されている訳ではないが、表示されていない面も表示されている面と同様の構成を備えている。また、図１には三つの面が表示されているが、上面の構成要素にのみ符合を付してある。
また、図４〜図６において、多くの木製ブロックを表示してあるため、それぞれの木製ブロック及び構成要素を示す符号にはアルファベット小文字で連番（a,b,c,d・・・）を付してある。
【００１７】
［連結穴］
連結穴３は、隣り合わせた木製ブロック１同士を連結するためのものである。そして、この連結穴３には、隣り合わせた木製ブロック１同士を連結する際に、互いの連結穴に共通の連結部材Ｘ（別体）が挿入され、これによって木製ブロック１同士を連結することができる。
連結穴３は、直方体形状の木製ブロック１の三対（相互に平行な面を一対とする）の対面のうち、少なくとも二対の対面それぞれに設けられる。図１の例では、三対の対面すべて（木製ブロックのすべての面11〜16）に連結穴３が設けられている。
そして、図１の例では連結穴３が、木製ブロックの各面11〜16につき、それぞれ四個設けられている（木製ブロック全体では、合計二十四個）。連結穴３の数は特に限定されないが、製造や連結のしやすさと連結強度を考慮すると、各面11〜16それぞれにつき２〜４個が好ましいと考えられる。
【００１８】
木製ブロック１同士を連結するには、図３に示すように、隣り合わせた木製ブロック１同士の相対する互いの連結穴３に共通の連結部材Ｘを挿入する。図３の例では、各面11〜16につき、それぞれ四個の連結穴３が設けられているため、これに対応する四個の連結部材Ｘを用いてある。図３などに示す例では、連結穴３と連結部材Ｘは、いわゆるダボ穴とダボの関係にある。
【００１９】
［ライン溝］
ライン溝４は、連結した木製ブロック１（連結ブロック体）を分解する際や、後述するように、連結した木製ブロック１を連結補強する際に用いられる（後述する紐状体をライン溝の内側に沿わせる）ものである。
ライン溝４は、図１に示すように、連結穴３が設けられている対面（図１では木製ブロック１のすべての面）それぞれに二本、十文字状に交差するように設けられている。二本のライン溝４は、それぞれ、各面における一辺の中央部から対辺の中央部に至るように設けられている。これにより、十文字状に交差するライン溝４の交点は、各面の概ね中央に位置することとなる。また、ライン溝４の端部は、隣り合う面に設けたライン溝４の端部と連続している。
図１の例では、三対の対面すべてに連結穴３が設けられているため、ライン溝４も三対の対面すべて（木製ブロック１のすべての面11〜16）に設けられている。ライン溝４の溝形状（溝の断面形状）は特に限定されず、例えば、図１及び図２に示すような凹型の他、Ｕ型、Ｖ型、半円型などでもよい。
【００２０】
連結した木製ブロック１（連結ブロック体）を分解する際、図４に示すように、木製ブロック同士の接触面の縁側に現れるライン溝の端部からライン溝の内部に棒状物を挿入（図４において挿入方向をＩｎで表示）して揺動などすることで、連結した木製ブロックを分解しやすくなる。ライン溝の内部に棒状物を深く挿入することが可能であり、その状態で棒状物を揺動などすれば、テコの原理によって、連結した木製ブロックをより分解しやすくなる。なお、前述した連結穴は、ライン溝を避けた位置に設けられる。
【００２１】
［貫通孔］
貫通孔５は、後述するように、連結した木製ブロック１（連結ブロック体）の連結を補強する際に用いられるものである。
貫通孔５は、図１及び図２に示すように、十文字状に交差するライン溝４の交点から対面側のライン溝４の交点に至るように、木製ブロック１を貫通して設けられている。これにより、貫通孔５はライン溝４に連続する。
図１の例では、三対の対面すべて（木製ブロックのすべての面11〜16）にライン溝が設けられているため、すべての対面を貫通するように、三本の貫通孔５が設けられている。
貫通孔の形状は特に限定されず、例えば、図１及び図２に示すような断面円形の他、三角形や四角形などの多角形型でもよい。
【００２２】
［木製ブロックの連結を補強する方法］
複数の木製ブロック１を連結して連結ブロック体２とした後、この連結を補強する方法を以下に例示説明する。
三個の木製ブロック1a,1b ,1cを上下方向に連結して連結ブロック体２としたもの（図４参照）について、木製ブロックの連結を補強する様子を図５に示す。
図５（Ａ）は、三個の木製ブロック1a,1b, 1cの連結を補強してあり、同図（Ｂ）は、二個の木製ブロック1a,1bの連結を補強してある。このような補強にはロープなどの紐状体Ｙ（別体）を用いる。
以下、図５（Ａ）に基づいて、木製ブロック同士の連結を補強する方法を説明する。
【００２３】
具体的には、まず、連結ブロック体２における一方側の所望の貫通孔開口部5a1から連結補強用の紐状体Ｙを通し、この紐状体Ｙを反対側の貫通孔開口部5a2から表出させる。その後、反対側の貫通孔開口部5a2から表出した紐状体Ｙを貫通孔開口部5a2に連続するライン溝4a,4b,4cの内側に沿わせて反対側の所望の他の貫通孔開口部5c2に通し、反対側の所望の他の貫通孔開口部5c2から通した紐状体Ｙを一方側の他の貫通孔開口部5c1から表出させる。最後に、紐状体Ｙの両端を引っ張るなどして紐状体Ｙに張力をかけながら、紐状体Ｙの両端部を結ぶ等の方法で結合することで連結ブロック体２をループ状に補強して、木製ブロック同士の連結を補強するするのである。
【００２４】
別例として、六個の木製ブロック1a〜1fを上下三段、左右二列に連結して連結ブロック体２としたものについて、連結を補強する様子を図６に示す。この場合も、図５の例と同様の手順を踏んで、木製ブロックの連結を補強する。ここで、一方側の所望の貫通孔開口部5a1と反対側の貫通孔開口部5d2とは、直線状に連通しており、反対側の所望の他の貫通孔開口部5f2と一方側の他の貫通孔開口部5c1とは、直線状に連通している。
【００２５】
これらの例では、木製ブロック体２の表面に表れた紐状体Ｙがライン溝の内側に沿うため、図６に示すように、ループ状に補強した木製ブロック体２に対して、ライン溝に紐状体Ｙが沿っている面側にも、さらに連結ブロック体２や木製ブロック１を隙間なく連結することができる。化粧板を取り付けることも可能である。紐状体Ｙは、ライン溝４の幅よりも小さな太さのものを用いることが好ましい。
【００２６】
上記方法により連結が補強された木製ブロックを分解して各木製ブロックに戻すには例えば、以下の手順を踏むことができる。まず、両端部を結ぶ等の方法で結合された紐状体Ｙの結合を解いて補強を緩める。その後、木製ブロック同士の連結を解除する（分解する）。このとき、木製ブロック同士の接触面の縁側に現れるライン溝の端部からライン溝の間に棒状物を挿入（三個の木製ブロックを上下方向に連結した場合には、図４において挿入方向をＩｎで表示）して揺動などすれば、連結した木製ブロックを分解しやすくなる。
【００２７】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【００２８】
例えば、図７に示すように、連結穴、ライン溝、及び貫通孔が、三対の対面のうち二対の対面それぞれにのみ設けられ、残り一対の面にはこれら要素が設けられていない構成としてもよい。しかし、図１に示すように、これら要素が三対の対面すべてに設けられた木製ブロックとすることが、組立作業の容易性などの面からは好ましい。
【００２９】
また、例えば、図８に示すように横長の木製ブロックとしてもよい。本例では、各面の長手方向には、ライン溝４の左右に補助ライン溝４’を設け、この補助ライン溝４’と短手方向のライン溝４との交点（補助交点）から対面側のライン溝の交点（補助交点）に至る補助貫通孔５’を設けた構成としてもよい。この補助貫通孔５’は、連結した木製ブロックの連結を補強する際に用いてもよい。補助ライン溝４’と補助貫通孔５’を設けなくてもよい。
【符号の説明】
【００３０】
１  木製ブロック
11,12,13,14,15,16  面
２  連結ブロック体
３  連結穴
４  ライン溝
５  貫通孔
Ｘ  連結部材
Ｙ  紐状体
【図１】
2014077318.tif 000003
【図２】
2014077318.tif 000004
【図３】
2014077318.tif 000005
【図４】
2014077318.tif 000006
【図５】
2014077318.tif 000007
【図６】
2014077318.tif 000008
【図７】
2014077318.tif 000009
【図８】
2014077318.tif 000010